(57)【要約】      （修正有）【課題】スマートデバイス、タブレットデバイスにおける操作性を向上させることができるスマートデバイス保持具を提供する。【解決手段】長方形型のスマートフォン、スマートタブレット、タブレットパソコン等のスマートデバイスの液晶画面を前面とし、背面１側縦方向の端に近い左右どちらかもしくは両方に、上下両端をスマートデバイス自体もしくはスマートデバイスケースに固定され、指１本もしくは指２本がはいることが可能な隙間を有する縦長の保持具４，５，６を設ける。保持具４，５，６は伸縮性のある素材により形成される。操作指の親指が操作可能な範囲を拡大するとともに保持具４，５，６に挿入する指と保持具に圧力を加える指を作る事により片手でスマートデバイスを保持している状態でも安定した運用が可能になる。【選択図】図１
0003201163.tif 000002
【実用新案登録請求の範囲】
【請求項１】
スマートフォン、スマートタブレット、ブレットパソコン等の液晶画面を操作する仕様のデバイス筐体のデバイス自体の背面もしくはデバイスケース背面の左右どちらか偏った位置にデバイスの端と平行になるように装着されており、指の第二関節まで挿入する事を想定した特徴を持つ保持具。
【請求項２】
前記保持具は、デバイス液晶部操作指の親指場合により人差し指、および保持具と筐体もしくはケースの間に挿入する指以外の指で保持具自体に圧力を加える事を特徴とする保持具。
【考案の詳細な説明】
【技術分野】
【０００１】
本考案は、スマートデバイス、タブレットデバイスにおける操作性を向上させる保持具に関するものである。
【背景技術】
【０００２】
スマートデバイス自体の保護、デザイン、操作性向上、機能性向上を目的にデバイスケースは多種多様な形態で商品化されている。その中にも片手で保持することを目的とした片手保持具もしくは片手保持具付きデバイスケースがある。
【０００３】
しかし、近年据え置き型パソコンや携帯パソコンの代替としてのタブレット型パソコンや電話回線付きスマートデバイスの使用目的が拡大し、表示・操作が可能な液晶画面が従来のものに比べ大型のものも多く商品化されている。
【０００４】
液晶画面が大型になればキーボード部分も液晶画面上に入力部分として表示しても従来のパソコンと同等の操作感を得られる為である。また、インターネットによるブラウジングもパソコン仕様のサイト表示を出せスマートデバイス専用の液晶画面を表示させる事なく多くの情報を得られる事も大型液晶画面のデバイスが増加する要因になっている。
【０００５】
大型液晶画面のデバイスに従来の片手保持を目的とした保持具を使用すると片手での運用が液晶画面全ての操作範囲を網羅することが困難になってくる。また従来の保持具を使用し無理に操作範囲を広げようとした場合デバイス保持が不安定になるという欠点が生まれてしまう。
【先行技術文献】
【特許文献】
【０００６】
【特許文献１】特開２０１３１７０５９号公報
【特許文献２】特開２０１０１３０２４４号公報
【考案の概要】
【考案が解決しようとする課題】
【０００７】
従来の保持具では、一方の手に荷物を持ちもう一方の手でスマートフォン、スマートタブレット、タブレットパソコンを操作したい状況の中では事実上操作が不可能な比較的液晶画面の大きなデバイスが存在する。ここで説明する「比較的画面の大きな」とはユーザーの手の大きさや感じ方に依存する為一般的な成人の平均的な手の大きさを元に液晶画面の大きさが５インチ以上８インチ以内のデバイスの事を示す。
【課題を解決するための手段】
【０００８】
本考案は、スマートフォン、スマートタブレット、タブレットパソコン自体もしくはケースに保持具を取り付け指を挿入した際、第二関節までの挿入を想定する事により操作指である親指の操作範囲を広くし、かつ、保持具自体に圧力を加える事で保持具を安定させ片手操作を可能にする。
【考案の効果】
【０００９】
本考案の液晶画面の大きさが５インチ以上８インチ以内のスマートフォン、スマートタブレット、タブレットパソコンを操作する際に一方の手に荷物を持ちもう一方の手でスマートフォン、スマートタブレット、タブレットパソコンを操作したい状況の中でも無理なく操作を可能になる。また、一般的な手の大きさを条件に比較的手全体の小さい人、比較的指の短い人でも同等の操作を可能にする。
【図面の簡単な説明】
【００１０】
【図１】図１は保持具形態を示した説明図である。（形態例１）
【考案を実施するための形態】
【００１１】
スマートデバイスの液晶表示部を前面、液晶表示の縦向きを上部、下部とし背面部の左右いずれかの下方部に保持具をスマートデバイス端に平行して設置した形態。
【実施例】
【００１２】
図１は、本考案の全体図であり１のスマートデバイス自体の背面もしくはスマートデバイスケース背面であり、２の保持具を装着する穴が背面から見て左右２つずつ対象に空いており左利き、右利きのどちらのユーザーにも対応できるようになっている。
【００１３】
３は２のスマートデバイス自体の背面もしくはスマートデバイスケース背面の穴と４の保持具を装着するはめ込み式の留め具で４の伸縮性のある保持具を上下で留め、スマートデバイス自体もしくはスマートデバイスとスマートデバイスケースを合わせた重量は最低でも保持できる強度を有する留め具になる。
【００１４】
５はデバイス自体もしくはデバイスケースを横から見た図の保持具になり、保持具とデバイス自体もしくはデバイスケースの間に挿入する指と保持具の外側から圧力を加える指の想定により柔軟に形状を変えて製造する必要がある。５の保持具の形状では、人差し指及び薬指を保持具に挿入し中指で圧力を加える形状に適している。
【００１５】
６はデバイス自体もしくはデバイスケースを背面より斜め上方から見た場合の保持具を表す。
【産業上の利用可能性】
【００１６】
比較的大画面のスマートデバイスが扱いづらい、操作性が不安で購入に踏み切れないユーザーの懸念を払拭し利用促進に繋がるとともにスマートデバイスの利用機会を増やす効果が期待できスマートデバイス、スマートデバイスケース、保持具の購買意欲向上に繋がる。
【符号の説明】
【００１７】
１.スマートデバイス自体もしくはスマートデバイスケースの背面
２．保持具を装着する穴
３．保持具とスマートデバイス自体もしくはスマートデバイスケースを連結する留め具
４．背面から見た保持具
５．横面から見た保持具
６．背面斜め上方から見た保持具
【図１】
0003201163.tif 000003
【手続補正書】
【提出日】平成27年6月12日(2015.6.12)
【手続補正１】
【補正対象書類名】実用新案登録請求の範囲
【補正対象項目名】全文
【補正方法】変更
【補正の内容】
【実用新案登録請求の範囲】
【請求項１】
長方形型のスマートフォン、スマートタブレット、ブレットパソコンの液晶画面を前面とし背面側縦方向の端に近い左右どちらかもしくは両方に縦長の上下両端をスマートデバイス自体もしくはスマートデバイスケースに固定した特徴とする保持具。
【請求項２】
伸縮性のある素材により形成され固定されていない縦長の中間部分に指１本もしくは指２本がはいることが可能な隙間を有する事を特徴とする請求項１記載の保持具。
【手続補正書】
【提出日】平成27年6月13日(2015.6.13)
【手続補正１】
【補正対象書類名】実用新案登録請求の範囲
【補正対象項目名】全文
【補正方法】変更
【補正の内容】
【実用新案登録請求の範囲】
【請求項１】
長方形型のスマートフォン、スマートタブレット、タブレットパソコン等スマートデバイスの液晶画面を前面とし背面側縦方向の端に近い左右どちらかもしくは両方に縦長の上下両端をスマートデバイス自体もしくはスマートデバイスケースに固定した帯状形態を特徴とする保持具。
【請求項２】
伸縮性のある素材により形成され固定されていない縦長の中間部分に指１本もしくは指２本がはいることが可能な隙間を有する事を特徴とする請求項１記載の保持具。
【手続補正書】
【提出日】平成27年9月16日(2015.9.16)
【手続補正１】
【補正対象書類名】実用新案登録請求の範囲
【補正対象項目名】全文
【補正方法】変更
【補正の内容】
【実用新案登録請求の範囲】
【請求項１】
長方形型のスマートフォン、スマートタブレット、タブレットパソコン等スマートデバイスの液晶画面を前面とし、背面側縦方向の端に近い左右どちらかもしくは両方に、上下両端をスマートデバイス自体もしくはスマートデバイスケースに固定され、指１本もしくは指２本がはいることが可能な隙間を有する縦長の保持具を設けることを特徴とするスマートデバイス保持具。
【請求項２】
前記保持具は伸縮性のある素材により形成された事を特徴とする請求項１記載のスマートデバイス保持具。